(57)【要約】【課題】衣類乾燥機において、ヒートポンプユニットから出た空気の熱量ロスを最小現にし、ドラム内に最適な気流を送り込む機構をもたせること。【解決手段】衣類を収容する回転ドラム６と、衣類乾燥機本体の背面側を覆う背面板４と、回転ドラム６を駆動するモータ２と、回転ドラム内に乾燥用空気を送り込むファン３と、衣類の水分を除湿するヒートポンプユニット１とを備え、ヒートポンプユニット１から回転ドラム６までの送風路を背面板４を送風路とすることなく、風洞カバー５と前記ベルマウス１８を有する風洞パーツ７の２部品にて構成し、風洞パーツ７には導風板８を設置することでドラム内の熱リークを最小限にし、ドラム内の気流を最適化することで省エネ性を向上させる。【選択図】図２
2013135779.tif 000002
【特許請求の範囲】
【請求項１】
衣類を収容する回転ドラムと、衣類乾燥機本体の背面側を覆う背面板と、前記回転ドラムを駆動するモータと、前記回転ドラム内に乾燥用空気を送り込むファンと、前記衣類の水分を除湿するヒートポンプユニットとを備え、前記ヒートポンプユニットから前記回転ドラムまでの送風路は、衣類乾燥機本体の背面側に位置する風洞カバーと、前記風洞カバーよりも衣類乾燥機本体の前面側に位置するとともに前記背面板よりも衣類乾燥機本体の背面側に位置する前記風洞パーツとによって構成される衣類乾燥機。
【請求項２】
風洞パーツは、導風板を一体構造にて形成した請求項１記載の衣類乾燥機。
【発明の詳細な説明】
【技術分野】
【０００１】
本発明は、回転ドラム内で衣類の乾燥をおこなう衣類乾燥機に関するものである。
【背景技術】
【０００２】
近年、衣類乾燥機は省エネルギー化が求められており、省エネルギー化に対して最適な乾燥運転をする必要がある。
【０００３】
近年、省エネルギー化に際して、ドラム内に送る風量を増加させる必要が生じていることに加えてドラム内の気流をコントロールする必要が生じてきている。
【０００４】
図７は、従来の衣類乾燥機の横断面図を示す。上記構造において、ヒートポンプユニット１を製品下部に配置し、モータ２とモータ２の軸に連接したファン３により風を発生させ、図８および図９で示すとおり、その風は背面板４と風洞カバー５によって形成された送風路を通り、図１０におけるドラム６に入る構造である。
【０００５】
図７において下方向から風が流れ、蒸発器９を通り、凝縮器１０を通過し、ドラム６とファン３を駆動させるモータを回転させることにより、風が流れる構造である。蒸発器９で蒸発した水はポンプを使って製品外部へと排出される。
【先行技術文献】
【特許文献】
【０００６】
【特許文献１】特開平１−２３０３９５号公報
【発明の概要】
【発明が解決しようとする課題】
【０００７】
しかしながら、前記従来の構成では、ファン３から流れた風はドラム６との連通口１３よりドラム６へ風が入っていくが、ファン３の渦巻きケーシング室１４と風洞カバー５とのシール構成、背面板４と風洞カバー５とのシール構成および、渦巻きケーシング室１４と背面板４とのシール構造が非常に難しく、さらには背面板４から熱がリークしてしまい、乾燥性能が落ちることが課題である。また、連通口１３の形状を構成する自由度が低いため、ドラム６内に入っていく風の流れをロスなくコントロールすることが非常に難しい。
【０００８】
また通常、背面板４は板金にて形成されるものであり、風洞カバー５は樹脂にて形成されるものであるため、この区間の空気の密閉性を向上させることが難しいこと、背面板４が板金であることから、熱伝導により大幅に熱リークを起こしてしまうこと。板金で複雑な構造をとることが難しいことにより、送風路に気流をコントロールさせる構造とすることができなかった。
【０００９】
本発明は、前記従来の課題を解決するもので、熱リークによる損失を低減し、衣類に効果的に気流を当てることで、省エネルギー化を達成した最適な運転を可能とする衣類乾燥機を提供することを目的としている。
【課題を解決するための手段】
【００１０】
前記従来の課題を解決するために、本発明の衣類乾燥機は、衣類を収容する回転ドラムと、衣類乾燥機本体の背面側を覆う背面板と、前記回転ドラムを駆動するモータと、前記回転ドラム内に乾燥用空気を送り込むファンと、前記衣類の水分を除湿するヒートポンプユニットとを備え、前記ヒートポンプユニットから前記回転ドラムまでの送風路は、衣類乾燥機本体の背面側に位置する風洞カバーと、前記風洞カバーよりも衣類乾燥機本体の前面側に位置するとともに前記背面板よりも衣類乾燥機本体の背面側に位置する前記風洞パーツとによって構成される。これによって、ドラム内の熱交換効率を高めることができ、結果省エネ性を向上させることができる。
【発明の効果】
【００１１】
本発明の衣類乾燥機は、ドラム内の熱リークを最小限にし、ドラム内の気流を最適化することで省エネ性を向上させる。
【図面の簡単な説明】
【００１２】
【図１】本発明の実施の形態１における衣類乾燥機の外観図
【図２】本発明の実施の形態１における衣類乾燥機の背面図
【図３】本発明の実施の形態１における衣類乾燥機の横断面図
【図４】本発明の実施の形態１における衣類乾燥機の縦断面図
【図５】本発明の実施の形態１における風洞パーツおよび導風板の説明図
【図６】本発明の実施の形態１における導風板設置時の風向の変化図
【図７】従来の衣類乾燥機における横断面図
【図８】従来の衣類乾燥機における風洞カバーを取り外した状態の背面視縦断面図
【図９】従来の衣類乾燥機における風洞カバーを取りつけた状態の背面視縦断面図
【図１０】従来の衣類乾燥機における風洞カバーを取りつけた状態の側面視縦断面図
【発明を実施するための形態】
【００１３】
第１の発明は、衣類を収容する回転ドラムと、衣類乾燥機本体の背面側を覆う背面板と、前記回転ドラムを駆動するモータと、前記回転ドラム内に乾燥用空気を送り込むファンと、前記衣類の水分を除湿するヒートポンプユニットとを備え、前記ヒートポンプユニットから前記回転ドラムまでの送風路は、衣類乾燥機本体の背面側に位置する風洞カバーと、前記風洞カバーよりも衣類乾燥機本体の前面側に位置するとともに前記背面板よりも衣類乾燥機本体の背面側に位置する前記風洞パーツとによって構成されることにより、コンパクトかつシール性が向上することで、熱リークを最小限にすることができ、省エネルギー化することが可能となる。
【００１４】
第２の発明は、第１の発明において、風洞パーツは、導風板を一体構造にて形成したことにより、ドラム内に吹き出す気流を最適化でき、結果ドラム内での衣類から水分を取り出すことができるようになり、結果省エネルギー化することができる。
【００１５】
以下、本発明の実施の形態について、図面を参照しながら説明する。なお、この実施の形態によって本発明が限定されるものではない。従来例と同じ構成については、本発明の実施の形態においても同一の符号を付している。
【００１６】
（実施の形態１）
本実施の形態は、前記課題に鑑み、渦巻きケーシング室１４のシール性を向上させること、背面板４からの熱リークを防ぐこと、およびドラム６内に最適な気流を入れることにより、省エネルギー性を達成することを目的とした実施の形態である。
【００１７】
図１は本発明における衣類乾燥機の外観図を示す。図１において、本体の正面側に扉１９と扉１９を開放するための取っ手２０が設けられている。この取っ手を引くことで扉１９が開放され、開口部からドラム６に衣類を投入できる構造となっている。
【００１８】
図２は本発明における衣類乾燥機の背面図を示す。モータ２を駆動させるとモータ２とファン３の駆動軸がベルト１５を介して連動してファン３が回転し、風が図２の下方から上方のドラムに向かって風洞カバー５の内部を通過してドラム６内に送風されるように構成されている。
【００１９】
図３は本発明における衣類乾燥機の横断面図を示す。図３において下方向から風が流れ、風が蒸発器９を通り、凝縮器１０を通過し、ファン３を駆動させるモータ２を回転させることにより、風がドラム６内に流れる構造である。
【００２０】
図４は本発明における衣類乾燥機の縦断面図を示す。渦巻きケーシング室１４を風洞カバー５とベルマウス１８を備える風洞パーツ７により形成し、衣類乾燥機本体の背面を覆う背面板４と風洞カバー５の間には風が流れない構造としている。これにより、シール性が大幅に改善される。また、板金製の背面板４上に風が流れないことにより、熱リーク量がへり、結果省エネルギーとなる。また、この図ではファン３を駆動させるため、ベルト１５を利用しているが、モータ２にファン３を取り付ける直動式であってもよい。
【００２１】
図５は本発明における風洞カバー５と風洞パーツ７で形成された風路の横断面図を示す。本発明において、風洞パーツ７を樹脂で形成すれば、導風板８を一体成型により構成して搭載することができる。
【００２２】
図６はドラム内の気流を示し、特にＡは前記導風板８を設置した場合の気流の流れを示し、Ｂは設置しなかった場合の気流の流れを示す。この気流の変化により、ヒートポンプに入ってくる気流の湿度が上昇することで、除湿負荷が増大し、結果として２％程度の省エネ性が改善された。また、背面板に風を流さない構造をとることによって、背面板から放熱する熱量が本試験によれば１５Ｗ程度減少することで省エネ性に貢献していることがわかった。
【００２３】
以上のように、本発明の衣類乾燥機において、ヒートポンプ出口からドラムの入口部まで背面板４と別の風洞パーツ７で送風路を形成し、その送風路内に風向を変化させる導風板８を設置することで、風を最適な位置へ送風することにより、性能を向上させることができる。これによって、ドラム内の熱交換効率を高めることができ、結果省エネ性能を向上させることができる。
【産業上の利用可能性】
【００２４】
以上のように、本発明にかかる衣類乾燥機は、ヒートポンプ出口からドラム入口までの熱リークおよび気流をコントロールすることで省エネルギー化することができ、衣類乾燥機として有用である。
【符号の説明】
【００２５】
１．ヒートポンプユニット
２．モータ
３．ファン
４．背面板
５．風洞カバー
６．ドラム
７．風洞パーツ
８．導風板
１３．ドラムとの連通口
１４．渦巻きケーシング室
【図１】
2013135779.tif 000003
【図２】
2013135779.tif 000004
【図３】
2013135779.tif 000005
【図４】
2013135779.tif 000006
【図５】
2013135779.tif 000007
【図６】
2013135779.tif 000008
【図７】
2013135779.tif 000009
【図８】
2013135779.tif 000010
【図９】
2013135779.tif 000011
【図１０】
2013135779.tif 000012